(57)【要約】【課題】複数の皿ばねからなる付勢部の高さ調整を容易にし、これにより高さ調整を精度良くしかも簡単に行えるようにした、締付装置を提供する。【解決手段】被締付部材１０に設けられる締付軸１２と、締付軸１２に取り付けられた複数の皿ばね６からなる付勢部１３とを備えている。付勢部１３は、皿ばね６が締付軸１２に取り付けられてなり、かつケース本体１５とこのケース本体１５を覆うカバー１６とからなる収納ケース１４に収納されている。収納ケース１４は、収納した皿ばね６とともに締付軸１２に取り付けられてなり、かつ伸縮可能に構成されている。締付軸１２の、収納ケース１４が取り付けられた側と反対の側には被締付部材１０を支持する支持部材１９が設けられている。締付軸１２の、収納ケース１４が取り付けられた側には収納ケース１４を介して被締付部材１０を押圧する押圧部材１８が備えられている。【選択図】    図２
2005011742.tif 000002
【特許請求の範囲】
【請求項１】
被締付部材をその表裏で挟持して締め付ける締付装置であって、
前記被締付部材に対してその表裏両側の少なくとも一方に突出した状態で設けられる締付軸と、前記締付軸における、前記被締付部材から突出した部分に取り付けられた複数の皿ばねからなる付勢部とを備え、
前記付勢部は、前記皿ばねがその軸方向に沿って前記締付軸に取り付けられてなるとともに、ケース本体とこのケース本体を覆うカバーとからなる収納ケースに収納されてなり、
前記収納ケースは、収納した皿ばねとともにその軸方向で前記締付軸に取り付けられてなり、かつ、前記ケース本体とカバーとが互いに進退可能に設けられたことによって伸縮可能に構成されてなり、
前記締付軸の、前記収納ケースが取り付けられた側と反対の側に設けられて、前記被締付部材の表裏いずれか一方を直接的あるいは間接的に支持する支持部材と、
前記締付軸の前記収納ケースが取り付けられた側の、前記被締付部材から突出した部分に取り付けられて、前記収納ケースを介して前記被締付部材の表裏いずれか他方を直接的あるいは間接的に押圧する押圧部材と、を具備してなることを特徴とする締付装置。
【請求項２】
前記被締付部材が、単位電池を複数積層してなる燃料電池であり、その積層方向に沿って前記締付軸が配置されていることを特徴とする請求項１記載の締付装置。
【請求項３】
前記付勢部は、前記皿ばねが並列に組み合わされて配置された部分と直列に組み合わされて配置された部分とを有した状態に形成されていることを特徴とする請求項１又は２記載の締付装置。
【発明の詳細な説明】
【０００１】
【発明の属する技術分野】
本発明は、単位電池を複数積層してなる燃料電池に好適に用いられる、締付装置に関する。
【０００２】
【従来の技術】
燃料電池の一つとして、高分子電解質形燃料電池（ＰＥＦＣ）が知られている。この高分子電解質形燃料電池は、一対のセパレータ間にアノード及びカソードが設けられ、さらにこれら電極間に電解質が設けられて構成された平板状の単位電池（単位セル）が、多数積層されて構成されたものである。このような構成の高分子電解質形燃料電池にあっては、その性能を高水準に維持して運転するため、積層した単位電池の上下、すなわち表裏両面を加圧した状態で挟持し、これにより所定の締付面圧（締め付け荷重）をかける必要がある。
このような高分子電解質形燃料電池等の燃料電池を所定の荷重で締め付ける装置としては、例えば高積層化に対応したものが知られている（例えば、特許文献１参照）。
【０００３】
また、積層した単位電池への締付面圧が強すぎると、単位電池を損傷するおそれがあり、弱すぎると、積層した単位電池間の密着性が悪くなってガスシール性も損なわれてしまう。したがって、この締め付け荷重を精度良く、すなわち設定通りに締め付け荷重をかけられるようにした技術も知られている。
図４はこのような技術を説明するためのもので、図４において符号１は燃料電池、２は締付装置である。締付装置２は、積層された複数の単位電池（図示せず）を、一対の締付板４、４間に挟持してこれら単位電池を締め付けるものである。
【０００４】
この締付装置２は、締付板４、４を貫通するボルト状の締付軸５と、これに挿通されて取り付けられた多数の皿ばね６と、この皿ばね６を上から押さえた状態で締付軸５に取り付けられたナット７と、皿ばね６が取り付けられた側と反対の側にて締付軸５に取り付けられたナット８と、を備えて構成されたものである。
多数の皿ばね６は、並列に組み合わされて配置された部分と直列に組み合わされて配置された部分とを有した状態で、その軸方向に沿って前記締付軸５に挿通され、これによって付勢部９を構成したものである。
【０００５】
このような構成からなる締付装置２を用いて前記複数の単位電池を、予め設定した荷重で締め付けて保持するには、まず、複数の単位電池を積層してこれらを一対の締付板４、４間に挟持する。そして、その状態でこれら締付板４、４に締付軸５を貫通させ、その一方の側にワッシャを介してナット８を螺合し、これによりナット８で一方の締付板４の裏面（底面）を支持する。
【０００６】
次いで、他方の締付板４側において、これより突出する締付軸５に多数の皿ばね６を予め設定した配列（組み合わせ）に基づいて嵌め込み、挿通させて付勢部９を形成する。そして、締付軸５にワッシャを介してナット７を螺合し、付勢部９の上をナット７で押さえる。
その後、ナット７による締め込み（螺合）の度合いを調整し、皿ばね６からなる付勢部９の高さを所定の高さにしてそのたわみ量を調整することにより、付勢部９に予め設定した付勢力、すなわち個々の皿ばね６の付勢力とその組み合わせとから計算される付勢力を発生させる。そして、これにより締付板４、４を介して積層された単位電池をナット８とともに挟持してこれを締め付け、その状態に保持する。
【０００７】
なお、このような構成の締付装置２は、締付板４、４の四隅にそれぞれ取り付けられ、これによりこれら締付装置２間に配置される単位電池を貫通することなく、その周囲を挟持して締め付けることにより、これら単位電池を設定した荷重で均一に締め付けることができるようになっている。
【０００８】
【特許文献１】
特公平７−５４７１３号公報
【０００９】
【発明が解決しようとする課題】
しかしながら、図４に示した締付装置２では、特に皿ばね６からなる付勢部９の付勢力を大きくするべく、皿ばね６の枚数を多くすると、その分これらをたわませ収縮させる力も大となり、したがって付勢部９全体の高さを所定高さに調整するのが困難になってしまう。そして、このように付勢部９の高さ調整が困難になってしまうと、正しい高さに設定できないことで設定通りの荷重で締め付けることができず、結果として単位電池の損傷や積層した単位電池間の密着不良を招き、燃料電池１の性能が十分良好に発揮されなくなってしまうこともある。
また、所定高さに調整するためには、高さを測定しつつナット７の締め込みを行わなくてはならず、したがって作業そのものが煩雑になってしまい、また高さ測定のために定規等の治具も必要になってしまう。
【００１０】
本発明は前記事情に鑑みてなされたもので、その目的とするところは、特に複数の皿ばねからなる付勢部の高さ調整を容易にし、これにより高さ調整を精度良くしかも簡単に行えるようにした、締付装置を提供することにある。
【００１１】
【課題を解決するための手段】
本発明の締付装置では、被締付部材をその表裏で挟持して締め付ける締付装置であって、前記被締付部材に対してその表裏両側の少なくとも一方に突出した状態で設けられる締付軸と、前記締付軸における、前記被締付部材から突出した部分に取り付けられた複数の皿ばねからなる付勢部とを備え、前記付勢部は、前記皿ばねがその軸方向に沿って前記締付軸に取り付けられてなるとともに、ケース本体とこのケース本体を覆うカバーとからなる収納ケースに収納されてなり、前記収納ケースは、収納した皿ばねとともにその軸方向で前記締付軸に取り付けられてなり、かつ、前記ケース本体とカバーとが互いに進退可能に設けられたことによって伸縮可能に構成されてなり、前記締付軸の、前記収納ケースが取り付けられた側と反対の側に設けられて、前記被締付部材の表裏いずれか一方を直接的あるいは間接的に支持する支持部材と、前記締付軸の前記収納ケースが取り付けられた側の、前記被締付部材から突出した部分に取り付けられて、前記収納ケースを介して前記被締付部材の表裏いずれか他方を直接的あるいは間接的に押圧する押圧部材と、を具備してなることを前記課題の解決手段とした。
【００１２】
この締付装置によれば、複数の皿ばねからなる付勢部を収納ケースに収納し、この収納ケースを、収納した皿ばねとともにその軸方向で締付軸に取り付けるとともに、この収納ケースを、前記ケース本体とカバーとを互いに進退可能にして伸縮可能に構成したので、例えば、予めこの収納ケースの最も短縮されたときの高さを、これに収納する皿ばねからなる付勢部の設定された高さと同じ高さにしておくことで、付勢部の高さ調整を収納ケースの高さで規定することができる。
すなわち、付勢部を収納した収納ケースを押圧部材によって押圧し、付勢部の高さを調整する際、前述したように収納ケースが最も短縮されるまでその高さを低くすることで、付勢部の高さを予め設定された高さに調整することが可能になる。
【００１３】
また、前記締付装置においては、前記被締付部材が、単位電池を複数積層してなる燃料電池であり、その積層方向に沿って前記締付軸が配置されているのが好ましい。
このようにすれば、前述したように付勢部の高さを予め設定された高さに調整して燃料電池に予め設定した締付力（締め付け荷重）を付与できるため、単位電池の損傷や積層した単位電池間の密着不良を防止し、燃料電池の性能を十分良好に発揮させることが可能になる。
【００１４】
また、前記締付装置においては、前記付勢部が、前記皿ばねが並列に組み合わされて配置された部分と直列に組み合わされて配置された部分とを有した状態に形成されているのが好ましい。
このようにすれば、前記付勢部はそのたわみ量のばらつきに対する荷重のばらつきが小さいものとなることから、この付勢部によって発生させる締付力（締め付け荷重）が、より設定値に近い値になり易くなる。
【００１５】
【発明の実施の形態】
以下、本発明の締付装置を詳しく説明する。
図１、図２は、本発明の締付装置を燃料電池の締め付け用に適用した場合の一実施形態を示す図であり、これらの図において符号１０は燃料電池、１１は締付装置である。燃料電池１０は、例えば前記の高分子電解質形燃料電池（ＰＥＦＣ）であって、前述したように平板状の単位電池（単位セル）が多数積層されて構成されたものである。これら単位電池からなる燃料電池１０は、四隅に貫通孔（図示せず）を形成した一対の締付板４、４により、その上下、すなわち表裏面が挟持され、保持されている。なお、単位電池は締付板４に比べて十分小さく形成されており、これら単位電池の周囲には補強のための筒体１０ａが設けられている。
【００１６】
締付装置１１は、正方形状の締付板４の四隅にそれぞれ設けられたもので、図２に示すように前記締付板４、４の四隅の貫通孔（図示せず）に挿通されたボルト状の締付軸１２と、この締付軸１２に挿通されて取り付けられた付勢部１３とを備えて構成されたものである。なお、これら締付装置１１は、前述した筒体１０ａと単位電池との間に配設されることにより、単位電池に干渉することなく、積層された単位電池の表裏を挟持し、締め付けるようになっている。
【００１７】
締付軸１２は、前記締付板４、４に対してその上下（表裏）両側に突出して設けられたもので、その一方の側には前述したように付勢部１３が設けられている。付勢部１３は、図４に示したものと同様に、多数の皿ばね６がその軸方向に沿って前記締付軸１２に挿通されて形成されたもので、特にこれら多数の皿ばね６は、並列に組み合わされて配置された部分と直列に組み合わされて配置された部分とを有している。
【００１８】
ここで、皿ばね６は、何枚かを同一軸上に組み合わせて使用することにより、いろいろの荷重特性が得られるようになっている。例えば、皿ばね６をｎ枚並列に組み合わせた場合に、皿ばね６が単体（１枚）の場合に比べ、同じたわみ量に対して荷重がｎ倍になり、また同じ荷重に対してたわみ量が１／ｎ倍になる。一方、皿ばね６をｎ枚直列に組み合わせた場合に、皿ばね６が単体（１枚）の場合に比べ、同じたわみ量に対して荷重が１／ｎ倍になり、また同じ荷重に対してたわみ量がｎ倍になる。
【００１９】
図２に示した例では、図４に示した付勢部９と同様に、締付板４側から、５枚の皿ばね６が並列に組み合わされ、さらにこれに対して同じく並列に組み合わされた５枚の皿ばね６が直列に組み合わされ、以下、同様にして５枚一組の皿ばね６が６組（計３０枚）直列に組み合わされた状態となっている。
【００２０】
なお、皿ばね６としては、例えばＪＩＳ  Ｂ  ２７０６の「さらばね」に規定される、内径ｄが６．２ｍｍ、外径Ｄが１２．５ｍｍ、厚さが０．７ｍｍ、高さが１ｍｍのものが用いられる。この規格のさらばね３０枚を、前記した組み合わせ（図４に示した組み合わせ）で締付軸１２に挿通させて用いたところ、付勢力としての荷重を２ｋＮ発生するためのたわみ量は１．２ｍｍであり、また、たわみ量を１．２ｍｍ±０．０５ｍｍとしたときの荷重のばらつきは１．９２ｋＮ〜２．０９ｋＮであった。また、比較のため、前記規格のさらばね５枚を単に並列に組み合わせて締付軸１２に挿通させ、用いたところ、付勢力としての荷重を２ｋＮ発生するためのたわみ量は０．２ｍｍであり、また、たわみ量を０．２ｍｍ±０．０５ｍｍとしたときの荷重のばらつきは１．５ｋＮ〜２．５ｋＮであった。
【００２１】
したがって本実施形態のように、多数の皿ばね６を、並列に組み合わせて配置した部分と直列に組み合わせて配置した部分とを有した状態で付勢部１３を形成すれば、この付勢部１３は、たわみ量のばらつきに対する荷重のばらつきが小さいものとなる。よって、このような多数の皿ばね６からなる付勢部１３を採用することにより、これによって発生させる締付力（締め付け荷重）を、より設定値に近い値に調整し易くすることが可能になる。換言すれば、予め設定した高さより少々異なる高さに調整され、これによりたわみ量が設定値より少々異なってしまっても、たわみ量のばらつきに対する荷重のばらつきが小さいことから、発生する締付力（締め付け荷重）は設定値に近い値となる。
【００２２】
また、このような構成からなる付勢部１３は、本実施形態では収納ケース１４に収納されている。収納ケース１４は、図３に示すように有蓋円筒状のケース本体１５と、このケース本体１５を覆う有底円筒状のカバー１６と、これらケース本体１５とカバー１６とを連結させた際にこの連結状態を保持させるための抜け止めＣリング１７とからなる金属製のものである。
【００２３】
ケース本体１５は、その内径が前記皿ばね６の外径より少し大きく形成され、これにより皿ばね６を容易に収納保持するよう構成されたもので、蓋板部１５ａの中心、すなわち皿ばね６の孔と同じ位置に、前記締付軸１２を挿通させるための孔１５ｂを形成したものである。また、このケース本体１５には、その開口側に大径部１５ｃが形成されており、後述するようにこの大径部１５ｃが、前記抜け止めＣリング１７によってカバー１６に保持されるようになっている。
【００２４】
カバー１６は、その内径が前記ケース本体１５の大径部１５ｃの外径より少し大きく形成され、これによりケース本体１５と互いに進退可能に嵌合するよう構成されたもので、底板部の中心位置に、前記締付軸１２を挿通させるための孔１６ａを形成したものである。孔１６ａを形成した底板部の中央部には、内側に突出してなる突出部１６ｂが形成されており、この突出部１６ｂは、収納ケース１４内に収納される多数の皿ばね６の一方の側を支持するようになっている。また、このカバー１６には、その開口側に周方向に沿って溝部１６ｃが形成されており、この溝部１６ｃは、前記抜け止めＣリング１７を収納保持するようになっている。さらに、カバー１６には、その開口側の周縁に切欠１６ｄが形成されており、後述するようにこの切欠１６ｄから、前記抜け止めＣリング１７を前記溝部１６ｃ内に差し入れることができるようになっている。
【００２５】
ここで、このようなケース本体１５とカバー１６とは、その内部に収納する多数の皿ばね６からなる付勢部１３に対して、予め以下のような寸法となるように形成されている。
この収納ケース１４は、前記ケース本体１５とカバー１６とが互いに進退可能になっており、これによって伸縮可能となっている。したがって、ケース本体１５の大径部１５ｃ側の端部がカバー１６の突出部１６ｂを形成した底板部の内面に突き当たったとき、この収納ケース１４はその長さが最も短縮されたものとなる。そこで、この最も短縮されたときの、ケース本体の１５の蓋板部１５ａの内面とカバー１６の突出部１６ｂの内面との間の距離が、多数の皿ばね６からなる付勢部１３の、予め設定した付勢力を発生するときの高さに一致して形成されている。
このような構成のもとに、付勢部１３の高さを、後述するように収納ケース１４の高さで規定することができるようになっている。
【００２６】
抜け止めＣリング１７は、線材がＣ字状に曲げられ、その両端部が立ち上げられてなるもので、Ｃ字状に曲げられた部分が前記カバー１６の溝部１６ｃに収納され、立ち上げられた端部１７ａ、１７ａが前記切欠１６ｄから引き出されるようになっている。
このようなケース本体１５とカバー１６と抜け止めＣリング１７とからなる収納ケース１４を組み立てるには、まず、ケース本体１５内に多数の皿ばね６を、前記した組み合わせ、すなわち図４に示した組み合わせで配置してその状態で入れる。次に、このようにして皿ばね６を収納したケース本体１５に対して、その開口側にカバー１６を被着させる。このとき、皿ばね６に対してはこれを圧縮してたわませる力がほとんど働かないので、ケース本体１５とカバー１６とは、皿ばね６からなる付勢部１３によって前述した最も短縮された状態より拡げられた状態となっている。
【００２７】
次いで、抜け止めＣリング１７をケース本体１５に巻回し、さらに端部１７ａ、１７ａをつまんで抜け止めＣリング１７の外径を僅かに狭め、その状態でケース本体１５とカバー１６との間に差し入れることにより、これをカバー１６の溝部１６ｃに収納させる。このとき、抜け止めＣリング１７の端部１７ａ、１７ａはカバー１６の切欠１６ｄから引き出しておき、その後、指を離す。すると、抜け止めＣリング１７は元の外径に復帰することで溝部１６ｃ内に強固に密着し、これによって溝部１６ｃ内に保持されるようになる。また、このように溝部１６ｃ内に抜け止めＣリング１７が保持されることで、カバー１６内に嵌合されたケース本体１５の大径部１５ｃが、抜け止めＣリング１７に係合するようになり、これによってケース本体１５はカバー１６から抜け出ないようになる。なお、抜け止めＣリング１７の端部１７ａ、１７ａ間を狭め、この抜け止めＣリング１７をカバー１６から外せば、ケース本体１５をカバー１６から外すことができるようになる。
【００２８】
このようにして多数の皿ばね６からなる付勢部１３を収納した収納ケース１４は、前記締付軸１２の一方の側に設けられて用いられる。すなわち、図２に示したようにカバー１６が締付板４に当接するようにしてカバー１６の孔１６ａ、皿ばね６の孔、ケース本体の孔１５ｂが順に締付軸１２に外挿されることにより、締付軸１２の一方の側に取り付けられる。
また、この収納ケース１４の上には、これを上から押さえた状態でナット（押圧部材）１８が取り付けられており、一方、収納ケース１４が取り付けられた側と反対の側にはワッシャを介してナット（支持部材）１９が取り付けられている。
なお、このような構成からなる締付装置１１は、図１に示したように締付板４、４の四隅それぞれに設けられている。
【００２９】
このような構成からなる締付装置１１を用いて前記複数の単位電池からなる燃料電池１０を、予め設定した荷重で締め付けて保持するには、まず、複数の単位電池を積層してこれらを一対の締付板４、４間に挟持するとともに、これを筒体１０ａで覆う。そして、その状態でこれら締付板４、４の四隅に締付軸１２をそれぞれ貫通させ、その一方の側にワッシャを介してナット１９を螺合し、これによりナット１９で一方の締付板４の裏面（底面）を支持する。
【００３０】
次いで、他方の締付板４側において、これより突出する締付軸１２に対し、前述したように多数（本実施形態では３０枚）の皿ばね６からなる付勢部１３を収納した収納ケース１４を、カバー１６が締付板４に当接するようにして取り付け、さらに締付軸１２にナット１８を螺合し、収納ケース１４のケース本体１５側をこのナット１８で押さえる。
その後、ナット１８を締め込み、皿ばね６からなる付勢部１３の高さを所定の高さにしてそのたわみ量を調整することにより、付勢部１３に予め設定した付勢力、すなわち個々の皿ばね６の付勢力とその組み合わせとから計算される付勢力を発生させる。そして、これにより締付板４、４を介して積層された単位電池をナット１９とともに挟持してこれを締め付け、その状態に保持する。
【００３１】
なお、付勢部１３で発生した付勢力は、収納ケース１４を伸長させる方向に働くが、この方向においてはナット１８、１９によってその間の長さが規制されているため、結果的に前記付勢力は、締付板４、４間に挟持された複数の単位電池をそれぞれ密着させる方向に作用し、締付板４、４間に所定の締付面圧（締め付け荷重）を付与するものとなる。
【００３２】
ここで、ナット１８を締め込む際、従来では付勢部の高さを測定しつつ締め込みを行わなくてはならなかったが、本実施形態では、前述したようにケース本体１５とカバー１６との間を最も短縮したとき、すなわちケース本体１５の大径部１５ｃ側の端部がカバー１６の突出部１６ｂを形成した底板部の内面に突き当たったとき、付勢部１３が予め設定された付勢力を発生するようになっている。よって、本実施形態ではもちろん付勢部１３の高さを測定する必要がなく、単にそれ以上締まらなくなるまでナット１８を締め込むだけで、極めて簡単に付勢部１３の高さ調整を行うことができる。
【００３３】
したがって、この締付装置１１にあっては、付勢部１３の高さ調整が極めて簡単にできるようになり、しかも付勢部１３の高さを測定することなく所望の高さに精度良く調整することができることから、積層した単位電池の表裏に予め設定した締付面圧（締め付け荷重）を確実に付与することができ、これにより単位電池の損傷や積層した単位電池間の密着不良を防止し、燃料電池１０の性能を十分良好に発揮させることができる。また、所定高さに調整する際に高さを測定する必要がないことから、作業そのものが簡単になるのはもちろん、高さ測定のための定規等の治具も不要となる。
【００３４】
なお、本発明は前記実施形態に限定されることなく、本発明の要旨を逸脱しないかぎり種々の変更が可能である。例えば、皿ばねからなる付勢部の構成については、前記の組み合わせやその枚数に限定されずに、種々の組み合わせや枚数が可能であり、もちろん並列による組み合わせのみであったり、直列による組み合わせのみであってもよい。
また、締付装置による締付圧を、締付板４、４を介して被締付部材（燃料電池）に間接的に付与するようにしたが、被締付部材の形態等によっては、締付板を用いずに締付圧を直接的に付与するようにしてもよい。
【００３５】
また、前記実施形態では、本発明の締付装置を燃料電池用のものに適用した場合について説明したが、本発明はこれに限定されることなく、所定の締付圧（締付荷重）でその表裏が締め付けられる必要のある被締付部材に対し、全て適用可能である。
【００３６】
【発明の効果】
以上説明したように本発明の締付装置は、複数の皿ばねからなる付勢部を収納ケースに収納し、この収納ケースを、収納した皿ばねとともにその軸方向で締付軸に取り付けるとともに、この収納ケースを、前記ケース本体とカバーとを互いに進退可能にして伸縮可能に構成したものであるから、例えば予めこの収納ケースの最も短縮されたときの高さを、これに収納する皿ばねからなる付勢部の設定された高さと同じ高さにしておくことで、付勢部の高さ調整を収納ケースの高さで規定することができる。そして、このように付勢部の高さ調整を収納ケースの高さで規定することにより、付勢部の高さ調整を極めて簡単にすることができることから、付勢部の高さを測定することなく所望の高さに精度良く調整することができ、したがって被締付部材に予め設定した締付圧（締め付け荷重）を確実に付与することができる。
また、特に被締付部材を、単位電池を複数積層してなる燃料電池とすれば、これら単位電池の損傷や積層した単位電池間の密着不良を防止し、燃料電池の性能を十分良好に発揮させることができる。
【図面の簡単な説明】
【図１】本発明の締付装置を燃料電池の締め付け用に適用した場合の一実施形態の、概略構成を示す斜視図である。
【図２】図１に示した締付装置の側面図である。
【図３】図１に示した締付装置における収容ケースの分解断面図である。
【図４】従来の締付装置を説明するための側面図である。
【符号の説明】
４…締付板、６…皿ばね、１０…燃料電池（被締付部材）、１１…締付装置、
１２…締付軸、１３…付勢部、１４…収容ケーズ、１５…ケース本体、
１６…カバー、１７…抜け止めＣリング、１８…ナット（押圧部材）、
１９…ナット（支持部材）
【図１】
2005011742.tif 000003
【図２】
2005011742.tif 000004
【図３】
2005011742.tif 000005
【図４】
2005011742.tif 000006